(57)【要約】【課題】従来のカメラシステムでは、撮影者自身がアイリス制御を行うことが難しい。【解決手段】焦点調節手段１、変倍調節手段５および光量調節手段９を備えた光学装置に接続され、焦点調節手段又は変倍調節手段の駆動を指令するための指令信号を操作に応じて出力する光学装置の駆動指令操作装置３００に、操作に応じて光量調節手段の駆動を指令するための光量調節指令信号を出力する光量調節操作手段２６，２７を設ける。【選択図】　図１
2004004873.tif 000002
【特許請求の範囲】
【請求項１】
焦点調節手段、変倍調節手段および光量調節手段を備えた光学装置又は前記各調節手段を備えた光学装置本体に装着されてこれら各調節手段を駆動する光学装置駆動ユニットに接続され、前記焦点調節手段又は前記変倍調節手段の駆動を指令するための指令信号を操作に応じて出力する光学装置の駆動指令操作装置において、
操作に応じて前記光量調節手段の駆動を指令するための光量調節指令信号を出力する光量調節操作手段と、
前記光学装置又は前記光学装置本体が装着されたカメラ装置から前記光量調節手段の駆動を指令するための光量調節指令信号が入力されるカメラ指令入力ラインと、
前記カメラ指令入力ラインに入力された光量調節指令信号を前記光学装置又は前記駆動ユニットに出力するためのラインと、前記光量調節操作手段から出力された光量調節指令信号を前記光学装置又は前記駆動ユニットに出力するためのラインとを兼ねる光量調節指令出力ラインと、
前記光量調節指令出力ラインを介して出力した光量調節指令信号が前記光量調節手段に入力されるよう前記光学装置又は前記駆動ユニット内の入力回路構成を切り換えるための信号を、前記光学装置又は前記駆動ユニットに対して出力する信号出力手段とを有することを特徴とする光学装置の駆動指令操作装置。
【請求項２】
カメラ装置に装着が可能であり、
焦点調節手段、変倍調節手段および光量調節手段を備え、前記焦点調節手段又は前記変倍調節手段の駆動を指令するための指令信号を操作に応じて出力する駆動指令操作装置が接続可能な光学装置において、
前記駆動指令操作装置に設けられた、前記光量調節手段の駆動を指令するために操作される光量調節操作手段から出力される光量調節指令信号に応じた前記光量調節手段の駆動を可能とする光量調節指令入力ラインを有し、
前記光量調節指令入力ラインが、前記カメラ装置から前記駆動指令操作装置を介して前記光量調節手段の駆動を指令するための光量調節指令信号が入力されるラインと、前記光量調節操作手段から出力された光量調節指令信号が入力されるラインとを兼ねていることを特徴とする光学装置。
【請求項３】
焦点調節手段、変倍調節手段および光量調節手段を備え、前記焦点調節手段又は前記変倍調節手段の駆動を指令するための指令信号を操作に応じて出力する駆動指令操作装置が接続可能な光学装置において、
前記駆動指令操作装置に設けられた、前記光量調節手段の駆動を指令するために操作される光量調節操作手段から出力される光量調節指令信号に応じた前記光量調節手段の駆動を可能とする光量調節指令入力ラインと、
前記光量調節指令入力ラインを、前記光量調節手段と前記焦点調節手段又は前記変倍調節手段とに選択的に接続する接続切換手段とを有しており、
前記光量調節操作手段を有する駆動指令操作装置が接続されたときに、この駆動指令操作装置から入力される、光学装置内の入力回路構成を切り換えるための信号に応じて前記接続切換手段を前記光量調節手段側に切り換え、この駆動指令操作装置からの光量調節指令信号を前記光量調節指令入力ラインを介して前記光量調節手段に入力させ、
光量調節操作手段を有さない駆動指令操作装置が接続されたときに、この駆動指令操作装置から光学装置内の入力回路構成を切り換えるための信号が入力されないことに応じて、前記接続切換手段を前記焦点調節手段又は前記変倍調節手段側に切り換え、この駆動指令操作装置から前記光量調節指令入力ラインを介して前記焦点調節手段又は前記変倍調節手段の駆動を指令する指令信号を入力させることを特徴とする光学装置。
【請求項４】
請求項１に記載の駆動指令操作装置と、請求項２に記載の光学装置とを有して構成されることを特徴とする光学調節システム。
【請求項５】
請求項１に記載の駆動指令操作装置と、請求項３に記載の光学装置とを有して構成されることを特徴とする光学調節システム。
【請求項６】
焦点調節手段、変倍調節手段および光量調節手段を備えた光学装置本体に装着されて前記各調節手段を駆動する駆動ユニットであって、前記焦点調節手段又は前記変倍調節手段の駆動を指令するための指令信号を操作に応じて出力する駆動指令操作装置が接続可能な光学装置駆動ユニットにおいて、
前記駆動指令操作装置に設けられた、前記光量調節手段の駆動を指令するために操作される光量調節操作手段から出力される光量調節指令信号に応じた前記光量調節手段の駆動を可能する光量調節指令入力ラインを有することを特徴とする光学装置駆動ユニット。
【請求項７】
前記光量調節指令入力ラインが、前記光学装置本体が装着されたカメラ装置から前記駆動指令操作装置を介して前記光量調節手段の駆動を指令するための光量調節指令信号が入力されるラインと、前記光量調節操作手段から出力された光量調節指令信号が入力されるラインとを兼ねていることを特徴とする請求項６に記載の光学装置駆動ユニット。
【請求項８】
前記光量調節手段に対し、前記光学装置本体に装着されたカメラ装置から前記光量調節手段の駆動を指令するための光量調節指令信号が入力されるカメラ指令入力ラインと、前記光量調節操作手段からの光量調節指令信号が入力される光量調節指令入力ラインとを有し、
前記光量調節手段に対し、前記カメラ指令入力ラインと前記光量調節指令入力ラインとを選択的に接続する入力指令切換回路を有することを特徴とする請求項６に記載の光学装置駆動ユニット。
【請求項９】
前記入力指令切換回路は、前記カメラ装置から出力される、カメラ装置側から前記光量調節手段の駆動を行うことを示す信号がオンのときに前記光量調節手段に対して前記カメラ指令入力ラインを接続し、カメラ装置側から前記光量調節手段の駆動を行うことを示す信号がオフのときに、前記駆動指令操作装置における使用者のマニュアル操作に応じて入力される信号のオン・オフに応じて前記光量調節手段に対して前記カメラ指令入力ラインを接続するか前記光量調節指令入力ラインを接続するかを切換えることを特徴とする請求項８に記載の光学装置駆動ユニット。
【請求項１０】
前記入力指令切換回路は、
前記カメラ指令入力ラインが接続された第１の入力端子と、第２の入力端子と、これら第１および第２の入力端子に対して接続切換えが可能で前記光量調節手段に接続された出力端子とを有する第１の入力指令切換手段と、
前記カメラ指令入力ラインが接続された第１の入力端子と、前記光量調節指令入力ラインが接続された第２の入力端子と、これら第１および第２の入力端子に対して接続切換えが可能で前記第１の入力指令切換手段の第２の入力端子に接続された出力端子とを有する第２の入力指令切換手段とを有して構成されており、
前記第１の入力指令切換手段は、前記カメラ装置から出力される、カメラ装置側から前記光量調節手段の駆動を行うことを示す信号のオン・オフに応じて接続切換えがなされ、
前記第２の入力指令切換手段は、前記駆動指令操作装置における使用者のマニュアル操作に応じて入力される信号のオン・オフに応じて接続切換えがなされることを特徴とする請求項９に記載の光学装置駆動ユニット。
【請求項１１】
前記光量調節指令入力ラインを、前記光量調節手段と前記焦点調節手段又は前記変倍調節手段とに選択的に接続する接続切換手段を有しており、
前記光量調節操作手段を有する駆動指令操作装置が接続されたときに、この駆動指令操作装置から入力される、駆動ユニット内の入力回路構成を切り換えるための信号に応じて前記接続切換手段を前記光量調節手段側に切り換え、この駆動指令操作装置からの光量調節指令信号を前記光量調節指令入力ラインを介して前記光量調節手段に入力させ、
光量調節操作手段を有さない駆動指令操作装置が接続されたときに、この駆動指令操作装置から駆動ユニット内の入力回路構成を切り換えるための信号が入力されないことに応じて、前記接続切換手段を前記焦点調節手段又は前記変倍調節手段側に切り換え、この駆動指令操作装置から前記光量調節指令入力ラインを介して前記焦点調節手段又は前記変倍調節手段の駆動を指令する指令信号を入力させることを特徴とする請求項６に記載の光学装置駆動ユニット。
【請求項１２】
請求項１に記載の駆動指令操作装置と、請求項６に記載の光学装置駆動ユニットと、この光学装置駆動ユニットが装着される光学装置本体とを有して構成されることを特徴とする光学調節システム。
【請求項１３】
請求項１に記載の駆動指令操作装置と、請求項７に記載の光学装置駆動ユニットと、この光学装置駆動ユニットが装着される光学装置本体とを有して構成されることを特徴とする光学調節システム。
【請求項１４】
請求項１に記載の駆動指令操作装置と、請求項８から１１のいずれかに記載の光学装置駆動ユニットとを有して構成されることを特徴とする光学調節システム。
【請求項１５】
請求項４に記載の光学調節システムと、前記光学装置が装着されるカメラとを有して構成されることを特徴とするカメラシステム。
【請求項１６】
請求項１２から１４のいずれかに記載の光学調節システムと、前記光学装置が装着されるカメラとを有して構成されることを特徴とするカメラシステム。
【発明の詳細な説明】
【０００１】
【発明の属する技術分野】
本発明は、テレビカメラ、ビデオカメラなどに用いられるレンズ装置等の光学装置およびこれに接続されるデマンド等の駆動指令操作装置に関するものである。
【０００２】
【従来の技術】
図５には、テレビカメラおよびテレビレンズを操作する際のイメージ像を占めている。一般にテレビカメラ２００の先端にテレビレンズ１００を装着し、それら全体を三脚架台５００に固定して使用する。この三脚架台５００からは、２本のパン棒５０１ａ、５０１ｂが後方に延びており、一方のパン棒５０１ａにテレビレンズ１００のズームレンズ光学系を操作するためのズームデマンド３００が取り付けられている。また、他方のパン棒５０１ｂにはフォーカスレンズ光学系を操作するためのフォーカスデマンド４００が取り付けられている。これらズームおよびフォーカスの操作は、撮影者Ｎの手指等による入力に対し、直接テレビレンズ１００に信号を伝達することによって行われる。
【０００３】
一方、アイリス（光量調節手段）の制御は、テレビカメラ２００からの指令信号に基づいて行われる。アイリスの制御には、テレビカメラ２００がテレビレンズ１００を通して入射される光量に応じて、テレビレンズ１００のアイリスを自動制御するオートアイリスモードと、テレビカメラ２００やテレビレンズ１００を撮影者以外の人が遠隔操作する際にテレビカメラ２００に接続されたテレビカメラコントロールユニットを操作し、アイリスを制御するリモートアイリスモードという２つのモードがある。
【０００４】
【発明が解決しようとする課題】
しかしながら、上記従来例では、オートアイリスモードではテレビカメラが自動で光量調節を行うため、撮影者自身の意思がアイリス制御に反映されない。またリモートアイリスモードを使用する際にはいちいちテレビカメラコントロールユニットをテレビカメラに接続しなければならないばかりか、テレビカメラコントロールユニットをテレビカメラに接続したとしても、撮影者がズームおよびフォーカスの操作を行いながらアイリスの操作をすることは困難である。このため、いずれのモードを使用しても、撮影者自身が所望のアイリス制御を簡単に行うことができないという欠点を持っている。
【０００５】
【課題を解決するための手段】
上記の課題を解決するために、本発明では、焦点調節手段、変倍調節手段および光量調節手段を備えた光学装置又は上記各調節手段を備えた光学装置本体に装着されてこれら各調節手段を駆動する光学装置駆動ユニットに接続され、焦点調節手段又は変倍調節手段の駆動を指令するための指令信号を操作に応じて出力する光学装置の駆動指令操作装置において、操作に応じて光量調節手段の駆動を指令するための光量調節指令信号を出力する光量調節操作手段を設けている。
【０００６】
また、焦点調節手段、変倍調節手段および光量調節手段を備え、焦点調節手段又は変倍調節手段の駆動を指令するための指令信号を操作に応じて出力する駆動指令操作装置が接続可能な光学装置、若しくは焦点調節手段、変倍調節手段および光量調節手段を備えた光学装置本体に装着されて各調節手段を駆動する駆動ユニットであって、焦点調節手段又は変倍調節手段の駆動を指令するための指令信号を操作に応じて出力する駆動指令操作装置が接続可能な光学装置駆動ユニットにおいて、上記駆動指令操作装置に設けられた、光量調節手段の駆動を指令するために操作される光量調節操作手段から出力される光量調節指令信号に応じた光量調節手段の駆動を可能とする光量調節指令入力ラインを設けている。
【０００７】
これら駆動指令操作装置と光学装置又は駆動ユニットを用いて光量調節システムを構成することにより、使用者は、デマンド等の駆動指令操作装置において焦点調節操作や変倍調節操作を行いながら、簡単に光量調節操作も自身の意思により行うことが可能となる。
【０００８】
上記の駆動指令操作装置には、カメラ装置から光量調節手段の駆動を指令するための光量調節指令信号が入力されるカメラ指令入力ラインが設けられているとともに、このカメラ指令入力ラインに入力された光量調節指令信号を光学装置又は駆動ユニットに出力するためのラインと、光量調節操作手段から出力された光量調節指令信号を光学装置又は駆動ユニットに出力するためのラインとを兼ねる光量調節指令出力ラインが設けられている。ここで、光学装置又は駆動ユニットにおいて、上記光量調節指令出力ラインにつながってカメラ指令入力ラインに入力された光量調節指令信号を受けるラインと光量調節操作手段から出力された光量調節指令信号を受けるラインとを兼ねる光量調節指令入力ラインを設けて、駆動指令操作装置と駆動ユニットとを接続するコネクタのピン数の増加を抑えるようにするのがよい。この場合、駆動指令操作装置に、光量調節指令出力ラインに対してカメラ指令入力ラインと光量調節操作手段とを選択的に接続する入力指令切換回路を設けるのがよい。
【０００９】
なお、入力指令切換回路として、カメラ装置から出力される、カメラ装置側から光量調節手段の駆動を行うことを示す信号がオンのときに光量調節指令出力ラインに対してカメラ指令入力ラインを接続し、カメラ装置側から光量調節手段の駆動を行うことを示す信号がオフのときに、操作に応じて光量調節指令出力ラインに対してカメラ指令入力ラインを接続するか光量調節操作手段を接続するかを切換えるものを用いることにより、カメラ装置側から光量調節手段の駆動を行うことを示す信号のオン・オフにかかわらず駆動指令操作装置において使用者がカメラ側から光量調節手段の駆動を行わせるか駆動指令操作装置側から光量調節手段の駆動を行わせるかを選択することが可能となる。
【００１０】
また、駆動ユニットに、カメラ装置から光量調節手段の駆動を指令するための光量調節指令信号が入力されるカメラ指令入力ラインと光量調節操作手段からの光量調節指令信号が入力される光量調節指令入力ラインとを設けるとともに、光量調節手段に対しカメラ指令入力ラインと光量調節指令入力ラインとを選択的に接続する入力指令切換回路を設けて、光量調節操作手段を有する駆動指令操作装置の構成を簡略化してもよい。
【００１１】
この場合、入力指令切換回路として、カメラ装置側から光量調節手段の駆動を行うことを示す信号がオンのときに光量調節手段に対して前記カメラ指令入力ラインを接続し、カメラ装置側から光量調節手段の駆動を行うことを示す信号がオフのときに、駆動指令操作装置における使用者のマニュアル操作に応じて入力される信号のオン・オフに応じて光量調節手段に対してカメラ指令入力ラインを接続するか光量調節指令入力ラインを接続するかを切換えるものを用いれば、カメラ装置側から光量調節手段の駆動を行うことを示す信号のオン・オフにかかわらず駆動指令操作装置において使用者がカメラ側から光量調節手段の駆動を行わせるか駆動指令操作装置側から光量調節手段の駆動を行わせるかを選択することが可能となる。
【００１２】
ここで、駆動指令操作装置には、光量調節出力ラインを介して出力した光量調節指令信号が光量調節手段に入力されるよう光学装置又は駆動ユニット内の入力回路構成を切り換えるための信号を、光学装置又駆動ユニットに対して出力する信号出力手段が設けられている。
【００１３】
そして、光学装置には、光量調節指令入力ラインを光量調節手段と焦点調節手段又は変倍調節手段とに選択的に接続する接続切換手段が設けられており、光量調節操作手段を有する駆動指令操作装置が接続されたときに、この駆動指令操作装置から入力される、駆動ユニット内の入力回路構成を切り換えるための信号に応じて接続切換手段を光量調節手段側に切り換え、この駆動指令操作装置からの光量調節指令信号を光量調節指令入力ラインを介して光量調節手段に入力させるようにし、光量調節操作手段を有さない駆動指令操作装置が接続されたときに、この駆動指令操作装置から駆動ユニット内の入力回路構成を切り換えるための信号が入力されないことに応じて接続切換手段を焦点調節手段又は変倍調節手段側に切り換えてこの駆動指令操作装置から光量調節指令入力ラインを介して焦点調節手段又は変倍調節手段の駆動を指令する指令信号を入力させている。
【００１４】
ここで、駆動ユニットに、光量調節指令入力ラインを光量調節手段と焦点調節手段又は変倍調節手段とに選択的に接続する接続切換手段を設け、光量調節操作手段を有する駆動指令操作装置が接続されたときに、この駆動指令操作装置から入力される、駆動ユニット内の入力回路構成を切り換えるための信号に応じて接続切換手段を光量調節手段側に切り換え、この駆動指令操作装置からの光量調節指令信号を光量調節指令入力ラインを介して光量調節手段に入力させるようにし、光量調節操作手段を有さない駆動指令操作装置が接続されたときに、この駆動指令操作装置から駆動ユニット内の入力回路構成を切り換えるための信号が入力されないことに応じて接続切換手段を焦点調節手段又は変倍調節手段側に切り換えてこの駆動指令操作装置から光量調節指令入力ラインを介して焦点調節手段又は変倍調節手段の駆動を指令する指令信号を入力させるようにすることもできる。
【００１５】
これにより、光学装置又は駆動ユニットの光量調節指令入力ラインを、光量調節操作手段を有する駆動指令操作装置からの光量調節指令信号の入力ラインおよび光量調節操作手段を有さない駆動指令操作装置からの焦点調節又は変倍調節のための指令信号の入力ラインとして兼用することが可能となり、駆動指令操作装置との接続に用いるコネクタのピン数を少なくしつつ、光量調節操作手段を有する駆動指令操作装置および光量調節操作手段を有さない駆動指令操作装置を接続することが可能となる。
【００１６】
【発明の実施の形態】
（第１実施形態）
図１には、本発明の第１実施形態である光学調節システムの構成を示している。この光学調節システムは、テレビレンズ（光学装置）１００と、テレビレンズ１００に接続されるズームデマンド３００およびフォーカスデマンド４００とから構成されている。また、テレビレンズ１００がテレビカメラ２００に装着されることにより、カメラシステムが構成される。
【００１７】
次に、テレビレンズ１００、ズームデマンド３００およびフォーカスデマンド４００の内部の構成について説明する。
【００１８】
テレビレンズ１００において、１は焦点調節を行うフォーカスレンズ光学系、２はフォーカスレンズ光学系１を駆動するフォーカスモータ、３はフォーカスレンズ光学系１の位置に応じた位置信号を出力するフォーカス位置検出器、４はフォーカスモータ２を制御するフォーカス制御器である。なお、フォーカスレンズ光学系１，フォーカスモータ２およびフォーカス制御器４により請求の範囲にいう焦点調節手段が構成される。
【００１９】
５は変倍調節を行うズームレンズ光学系、６はズームレンズ光学系５を駆動するズームモータ、７はズームレンズ光学系５の位置に応じた位置信号を出力するズーム位置検出器、８はズームモータ６を制御するズーム制御器である。なお、ズームレンズ光学系５，ズームモータ６およびズーム制御器８により請求の範囲にいう変倍調節手段が構成される。
【００２０】
９は絞り調節を行うアイリス羽根、１０はアイリス羽根９を駆動するアイリスモータ、１１はアイリス羽根９の位置に応じた位置信号を出力するアイリス位置検出器、１２はアイリスモータ１０を制御するアイリス制御器である。なお、アイリス羽根９，アイリスモータ１０およびアイリス制御器１２により請求の範囲にいう光量調節手段が構成される。
【００２１】
１３は後述するデマンド接続コネクタ１６のｂピンから入力されるフォーカス指令信号又はアイリス指令信号をそれぞれフォーカス制御器４又はアイリス制御器１２に選択的に供給する指令信号切換スイッチ（接続切換手段）である。なお、指令信号切換スイッチ１３の入力端子とデマンド接続コネクタ１６のｂピンとをつなぐラインが、請求の範囲にいう光量調節指令入力ラインに相当する。
【００２２】
１４は後述するデマンド接続コネクタ１７のｂピンから入力されるフォーカス指令信号又はアイリス指令信号をそれぞれフォーカス制御器４又はアイリス制御器１２に選択的に供給する指令信号切換スイッチである。
【００２３】
１５はテレビレンズ１００とテレビカメラ２００とを電気的に接続するテレビカメラ接続コネクタ、１６，１７はズームデマンド３００やフォーカスデマンド４００をテレビレンズ１００に接続するデマンド接続コネクタ、１８，１９はズームデマンド３００やフォーカスデマンド４００とテレビレンズ１００とを接続するデマンドケーブル、２０，２１はテレビレンズ１００をズームデマンド３００やフォーカスデマンド４００に接続するテレビレンズ接続コネクタである。
【００２４】
ズームデマンド３００において、２２はテレビレンズ１００の指令信号切換スイッチ１３をＢ側（アイリス側）に切り換えるための信号（請求の範囲にいう入力回路構成を切り換えるための信号）を出力する、言い換えればデマンド接続コネクタ１６のｂピンからテレビレンズ１００に入力される指令信号がアイリス指令信号であることを示すアイリス認識信号出力器（信号出力手段）である。
【００２５】
２３はテレビカメラ２００からのテレビカメラアイリス指令信号ＩＣＣの入力を受けるテレビレンズ接続コネクタ２０のｅピンに接続されたＡ入力端子（第１の入力端子）と、Ｂ入力端子（第２の入力端子）と、これらＡ入力端子およびＢ入力端子に対して接続切換が可能でテレビレンズ接続コネクタ２０のｂピンに接続された出力端子とを有するテレビカメラアイリス制御切換スイッチ（第１の入力指令切換手段）である。なお、このテレビカメラアイリス制御切換スイッチ２３の出力端子とテレビレンズ接続コネクタ２０のｂピンとを繋ぐラインが請求の範囲にいう光量調節指令出力ラインに相当する。
【００２６】
このテレビカメラアイリス制御切換スイッチ２３は、テレビカメラ２００からテレビレンズ接続コネクタ２０のａピンを介してアイリス強制切換信号（カメラ側からアイリス駆動を行うことを示す信号）ＩＣＬのオン信号を受けることによりＡ入力端子側に切り換わり、同オフ信号を受けることによりＢ入力端子側に切り換わる。
【００２７】
また、２８はテレビカメラ２００からのテレビカメラアイリス指令信号ＩＣＣの入力を受けるテレビレンズ接続コネクタ２０のｅピンに接続されたＡ入力端子（第１の入力端子）と、後述するアイリス指令信号発生器２７に接続されたＢ入力端子（第２の入力端子）と、これらＡ入力端子およびＢ入力端子に対して接続切換が可能でテレビカメラアイリス制御切換スイッチ２３のＢ入力端子に接続された出力端子とを有するアイリスカメラレンズ制御切換スイッチ（第２の入力指令切換手段）である。このアイリスカメラレンズ制御切換スイッチ２８は撮影者のマニュアル操作によってＡ入力端子側とＢ入力端子側とに切り換わる。なお、テレビカメラアイリス制御切換スイッチ２３およびアイリスカメラレンズ制御切換スイッチ２８のＡ入力端子とテレビレンズ接続コネクタ２０のｅピンとを繋ぐラインが請求の範囲にいうカメラ指令入力ラインに相当する。また、テレビカメラアイリス制御切換スイッチ２３およびアイリスカメラレンズ制御切換スイッチ２８により請求の範囲にいう入力指令切換回路が構成される。
【００２８】
２４はズームデマンド３００のサムリング、２５はサムリング２４の操作量に比例したズーム指令信号を出力するズーム指令信号発生器である。
【００２９】
２６はアイリス操作ノブ、２７はアイリス操作ノブ２６の操作量に比例したアイリス操作指令信号を出力するアイリス指令信号発生器である。なお、アイリス操作ノブ２６およびアイリス指令信号発生器２７により請求の範囲にいう光量調節操作手段が構成される。
【００３０】
フォーカスデマンド４００において、２９はテレビレンズ１００の指令信号切換スイッチ１４をＡ側（フォーカス側）に切り換えるための信号を出力する、言い換えればデマンド接続コネクタ１７のｂピンからテレビレンズ１００に入力される指令信号がフォーカス指令信号であることを示すフォーカス認識信号出力器である。
【００３１】
３１はフォーカス操作ノブであり、３０はフォーカス操作ノブ３１の操作量に比例したフォーカス指令信号を出力するフォーカス指令信号発生器である。
【００３２】
上記構成において、まずズームデマンド３００のサムリング２４を用いて、ズームレンズ光学系５の制御を行う場合について説明する。サムリング２４が操作されると、このサムリング２４の操作量に比例した駆動方向および駆動速度（駆動量や駆動位置であってもよい）を指示するズーム指令信号がズーム指令信号発生器２５から出力される。このズーム指令信号は、テレビレンズ接続コネクタ２０のｄピン、デマンドケーブル１８およびデマンド接続コネクタ１６のｄピンを介してズーム制御器８に入力される。
【００３３】
ズーム制御器８はズーム指令信号に応じてズームモータ６を制御し、ズームレンズ光学系５を駆動させる。そして、ズームレンズ光学系５の駆動に連動してズーム位置検出器７がズームレンズ光学系５の位置に応じた位置信号をズーム制御器８に出力する。ズーム制御器８は、この位置信号に基づいてズームレンズ光学系５の可動範囲内での制御を行う。
【００３４】
次に、フォーカスデマンド４００を用いてフォーカスレンズ光学系１の制御を行う場合について説明する。フォーカスデマンド４００の操作ノブ３１が操作されると、その操作量に比例した駆動位置を指示するフォーカス指令信号がフォーカス指令信号発生器３０から出力される。フォーカス指令信号は、テレビレンズ接続コネクタ２１のｂピン、デマンドケーブル１９およびデマンド接続コネクタ１７のｂピンを介して指令信号切換スイッチ１４の入力端子に入力される。
【００３５】
このとき、フォーカス認識信号出力器２９からの信号がテレビレンズ接続コネクタ２１のｃピン、デマンドケーブル１９およびデマンド接続コネクタ１７のｃピンを介して指令信号切換スイッチ１４の作動端子に入力される。このため、指令信号切換スイッチ１４はＡ側に切り換わり、フォーカス制御器４にフォーカス指令信号を供給する。これにより、フォーカス制御器４はフォーカスモータ２を制御し、フォーカスレンズ光学系１を駆動させる。
【００３６】
そして、フォーカスレンズ光学系１の駆動に連動してフォーカス位置検出器３がフォーカスレンズ光学系１の位置に応じた位置信号をフォーカス制御器４に出力する。フォーカス制御器４は、この位置信号とフォーカス指令信号発生器３０からのフォーカス指令信号との差が０となるようにフォーカスレンズ光学系１を制御する。
【００３７】
次に、アイリス羽根９の制御を行う場合について説明する。まず、テレビカメラ２００からのアイリス強制切換信号ＩＣＬがＯＮ、即ちテレビカメラ２００からのアイリスの制御が選択された場合のアイリス羽根９の制御について説明する。
【００３８】
この場合、テレビカメラ２００からのテレビカメラアイリス指令信号ＩＣＣが、テレビカメラ接続コネクタ１５、デマンド接続コネクタ１６のｅピン、デマンドケーブル１８およびテレビレンズ接続コネクタ２０のｅピンを介してテレビカメラアイリス制御切換スイッチ２３のＡ入力端子とアイリスカメラレンズ制御切換スイッチ２８のＡ入力端子とに入力される。
【００３９】
一方、テレビカメラ２００からのアイリス強制切換信号ＩＣＬのＯＮ信号が、テレビカメラ接続コネクタ１５、デマンド接続コネクタ１６のａピン、デマンドケーブル１８およびテレビレンズ接続コネクタ２０のａピンを介してテレビカメラアイリス制御切換スイッチ２３の作動端子に入力される。これにより、テレビカメラアイリス制御切換スイッチ２３はＡ入力端子側に切り換えられ、この切換スイッチ２３の出力端子からテレビレンズ接続コネクタ２０のｂピン、デマンドケーブル１８およびデマンド接続コネクタ１６のｂピンを介して指令信号切換スイッチ１３にテレビカメラアイリス指令信号ＩＣＣが出力される。
【００４０】
またこのとき、アイリス認識信号出力器２２からの信号がテレビレンズ接続コネクタ２０のｃピン、デマンドケーブル１８、デマンド接続コネクタ１６のｃピンを介して指令信号切換スイッチ１３の作動端子に入力されているため、指令信号切換スイッチ１３はＢ側に切り換わり、テレビカメラアイリス指令信号ＩＣＣをアイリス制御切換１２に供給する。
【００４１】
これにより、アイリス制御器１２はアイリスモータ１０を制御し、アイリス羽根９を駆動させる。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【００４２】
次に、テレビカメラ２００からのアイリス強制切換信号ＩＣＬがＯＦＦで、アイリスカメラレンズ制御切換スイッチ２８がＡ側にセットされている場合、即ち撮影者によりテレビカメラ２００からのアイリスの制御が選択された場合のアイリス羽根９の制御について説明する。
【００４３】
この場合、テレビカメラ２００からのテレビカメラアイリス指令信号ＩＣＣが、テレビカメラ接続コネクタ１５、デマンド接続コネクタ１６のｅピン、デマンドケーブル１８およびテレビレンズ接続コネクタ２０のｅピンを介してテレビカメラアイリス制御切換スイッチ２３とアイリスカメラレンズ制御切換スイッチ２８のＡ入力端子に入力される。
【００４４】
一方、テレビカメラ２００からのアイリス強制切換信号ＩＣＬのＯＦＦ信号が、テレビカメラ接続コネクタ１５、デマンド接続コネクタ１６のａピン、デマンドケーブル１８およびテレビレンズ接続コネクタ２０のａピンを介して、テレビカメラアイリス制御切換スイッチ２３の作動端子に入力される。これにより、テレビカメラアイリス制御切換スイッチ２３はＢ入力端子側に切り換わり、かつ撮影者によってアイリスカメラレンズ制御切換スイッチ２８はＡ入力端子側にセットされているため、テレビレンズ接続コネクタ２０のｅピンに入力されたテレビカメラアイリス指令信号ＩＣＣは、アイリスカメラレンズ制御切換スイッチ２８のＡ入力端子、テレビカメラアイリス制御切換スイッチ２３のＢ入力端子、テレビレンズ接続コネクタ２０のｂピン、デマンドケーブル１８およびデマンド接続コネクタ１６のｂピンを介して指令信号切換スイッチ１３に出力される。
【００４５】
このとき、アイリス認識信号出力器２２からの信号がテレビレンズ接続コネクタ２０のｃピン、デマンドケーブル１８およびデマンド接続コネクタ１６のｃピンを介して指令信号切換スイッチ１３の作動端子に入力されているため、指令信号切換スイッチ１３はＢ側に切り換わり、テレビカメラアイリス指令信号ＩＣＣをアイリス制御器１２に供給する。
【００４６】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【００４７】
次に、テレビカメラ２００からのアイリス強制切換信号ＩＣＬがＯＦＦで、アイリスカメラレンズ制御切換スイッチ２８がＢ側にセットされている場合、即ち撮影者によりアイリス操作ノブ２６からのアイリスの制御が選択された場合のアイリス羽根９の制御について説明する。
【００４８】
アイリス操作ノブ２６が操作されると、その操作量に比例したアイリス操作指令信号がアイリス指令信号発生器２７から出力され、アイリスカメラレンズ制御切換スイッチ２８のＢ入力端子に入力される。
【００４９】
一方、テレビカメラ２００からのアイリス強制切換信号ＩＣＬのＯＦＦ信号が、テレビカメラ接続コネクタ１５、デマンド接続コネクタ１６のａピン、デマンドケーブル１８およびテレビレンズ接続コネクタ２０のａピンを介してテレビカメラアイリス制御切換スイッチ２３の作動端子に入力される。これにより、テレビカメラアイリス制御切換スイッチ２３はＢ入力端子側に切り換わり、かつ撮影者によってアイリスカメラレンズ制御切換スイッチ２８はＢ入力端子側にセットされているため、アイリス操作指令信号は、アイリスカメラレンズ制御切換スイッチ２８のＢ入力端子側、テレビカメラアイリス制御切換スイッチ２３のＢ入力端子、テレビレンズ接続コネクタ２０のｂピン、デマンドケーブル１８およびデマンド接続コネクタ１６のｂピンを介して指令信号切換スイッチ１３に出力される。
【００５０】
このとき、アイリス認識信号出力器２２からの信号がテレビレンズ接続コネクタ２０のｃピン、デマンドケーブル１８およびデマンド接続コネクタ１６のｃピンを介して指令信号切換スイッチ１３の作動端子に入力されているため、指令信号切換スイッチ１３はＢ側に切り換わり、アイリス操作指令信号をアイリス制御器１２に供給する。
【００５１】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とアイリス操作指令信号との差が０となるようにアイリス羽根９を制御する。
【００５２】
以上説明したように、本実施形態によれば、撮影者は、ズームデマンド３００においてサムリング２４によるズーム操作を行いながら、簡単にアイリス操作ノブ２６によるアイリス操作も自身の意思により行うことができる。
【００５３】
また、ズームデマンド３００に設けられた光量調節指令出力ラインおよびテレビレンズ１００に設けられた光量調節指令入力ラインは、アイリス制御器１２に対してカメラ２００側からのテレビカメラアイリス指令信号とデマンド３００側からのアイリス操作指令信号の双方の供給ラインを兼ねているので、指令信号ごとに別々の供給ラインを設ける場合に比べてコネクタ１６，２０のピン数を少なくすることができる。
【００５４】
また、本実施形態では、テレビレンズ接続コネクタ２０にアイリス操作ノブ２６を有するズームデマンド３００を接続し、テレビレンズ接続コネクタ２１にフォーカスデマンド４００を接続した場合について説明したが、テレビレンズ接続コネクタ２０にフォーカスデマンド４００を、テレビレンズ接続コネクタ２１にアイリス操作ノブ２６を有するズームデマンド３００を接続しても、アイリス操作ノブ２６を通じたアイリス操作が可能である。この場合、指令信号切換スイッチ１４に、デマンド接続コネクタ１７のｂピンを通じてテレビカメラアイリス指令信号とアイリス操作指令信号とが入力されることになる。すなわち、指令信号切換スイッチ１４とデマンド接続コネクタ１７のｂピンとを繋ぐラインが請求の範囲にいう光量調節指令入力ラインになる。
【００５５】
そしてこの場合、指令信号切換スイッチ１３の作動端子には、テレビレンズ接続コネクタ２０およびデマンド接続コネクタ１６のｃピンを介してフォーカスデマンド４００のフォーカス認識信号出力器２９からの信号が入力されるため、指令信号切換スイッチ１３はＡ側に切り換わる。したがって、フォーカス操作ノブ３１の操作量に比例したフォーカス指令信号は、テレビレンズ接続コネクタ２０およびデマンド接続コネクタ１６のｂピン、さらには指令信号切換スイッチ１３のＡ側を介してフォーカス制御器４に供給される。
【００５６】
すなわち、テレビレンズ１００に設けられた光量調節指令入力ライン（デマンド接続コネクタ１６のｂピンと指令信号切換スイッチ１３とを繋ぐライン）は、アイリス操作ノブ２６を有するズームデマンド３００からのアイリス操作指令信号の入力ラインおよびフォーカスデマンド４００からのフォーカス指令信号の入力ラインとして兼用することが可能である。これにより、デマンド接続コネクタ１６には、このコネクタ１６のピン数を少なくしつつ、アイリス操作ノブ２６を有するズームデマンド３００とフォーカスデマンド４００の双方を接続することができる。
【００５７】
なお、本実施形態では、カメラ２００側からのテレビカメラアイリス指令信号とデマンド３００側からのアイリス操作指令信号との電圧値がアイリス制御器１２に対して共通である場合について説明したが、テレビカメラアイリス指令信号とアイリス操作指令信号との電圧値が異なる場合には、ズームデマンド３００内若しくはテレビレンズ１００内に、アイリス操作指令信号の電圧値をテレビカメラアイリス指令信号に一致させる電圧変換器を設けるようにしてもよい。
【００５８】
また、本実施形態では、デマンド接続コネクタ、デマンドケーブル、テレビレンズ接続コネクタそれぞれのｂピンをフォーカス指令信号とアイリス指令信号の共通のピンとした場合について説明したが、デマンド接続コネクタ、デマンドケーブル、テレビレンズ接続コネクタのそれぞれに１ピンずつ増設して、フォーカス指令信号とアイリス指令信号をそれぞれ別のピンを通じて供給するようにしてもよい。
【００５９】
また、本実施形態では、デマンド接続コネクタ１６，１７のピン配置を同一のものとして説明したが、これを各々ズームデマンド専用とフォーカスデマンド専用のピン配置としてもよい。
【００６０】
（第２実施形態）
上記第１実施形態では、ズームデマンドにアイリス操作ノブを設けた場合について説明したが、フォーカスデマンドにアイリス操作ノブを設けてもよい。
【００６１】
図２には、本発明の第２実施形態である光学調節システムの構成を示している。この光学調節システムは、テレビレンズ（光学装置）１００’と、テレビレンズ１００’に接続されるズームデマンド３００’およびフォーカスデマンド４００’とから構成されている。また、テレビレンズ１００’がテレビカメラ２００に装着されることにより、カメラシステムが構成される。
【００６２】
次に、テレビレンズ１００’、ズームデマンド３００’およびフォーカスデマンド４００’の内部の構成について説明する。なお、第１実施形態と共通する構成要素には第１実施形態と同符号を付して説明に代える。
【００６３】
テレビレンズ１００’において、３３はデマンド接続コネクタ１７のｄピンから入力されるズーム指令信号又はアイリス指令信号をそれぞれズーム制御器８又はアイリス制御器１２に選択的に供給する指令信号切換スイッチ（接続切換手段）である。なお、指令信号切換スイッチ１３の入力端子とデマンド接続コネクタ１７のｄピンとをつなぐラインが、請求の範囲にいう光量調節指令入力ラインに相当する。
【００６４】
３２はデマンド接続コネクタ１６のｄピンから入力されるズーム指令信号又はアイリス指令信号をそれぞれズーム制御器８又はアイリス制御器１２に選択的に供給する指令信号切換スイッチである。
【００６５】
フォーカスデマンド４００’において、２２’はテレビレンズ１００’の指令信号切換スイッチ３３をＢ側（アイリス側）に切り換えるための信号（請求の範囲にいう入力回路構成を切り換えるための信号）を出力する、言い換えればデマンド接続コネクタ１７のｄピンからテレビレンズ１００’に入力される指令信号がアイリス指令信号であることを示すアイリス認識信号出力器（信号出力手段）である。
【００６６】
また、このフォーカスデマンド４００’には、アイリス操作ノブ２６およびアイリス指令信号発生器２７が設けられている。なお、アイリス指令信号発生器２７とテレビレンズ接続コネクタ２１のｄピンとを繋ぐラインが請求の範囲にいう光量調節指令出力ラインに相当する。
【００６７】
２３’はテレビカメラ２００からのテレビカメラアイリス指令信号ＩＣＣの入力を受けるテレビレンズ接続コネクタ２１のｅピンに接続されたＡ入力端子（第１の入力端子）と、Ｂ入力端子（第２の入力端子）と、これらＡ入力端子およびＢ入力端子に対して接続切換が可能でテレビレンズ接続コネクタ２１のｄピンに接続された出力端子とを有するテレビカメラアイリス制御切換スイッチ（第１の入力指令切換手段）である。なお、このテレビカメラアイリス制御切換スイッチ２３’の出力端子とテレビレンズ接続コネクタ２１のｄピンとを繋ぐラインが請求の範囲にいう光量調節指令出力ラインに相当する。
【００６８】
このテレビカメラアイリス制御切換スイッチ２３’は、テレビカメラ２００からテレビレンズ接続コネクタ２１のａピンを介してアイリス強制切換信号（カメラ側からアイリス駆動を行うことを示す信号）ＩＣＬのオン信号を受けることによりＡ入力端子側に切り換わり、同オフ信号を受けることによりＢ入力端子側に切り換わる。
【００６９】
また、２８’はテレビカメラ２００からのテレビカメラアイリス指令信号ＩＣＣの入力を受けるテレビレンズ接続コネクタ２１のｅピンに接続されたＡ入力端子（第１の入力端子）と、アイリス指令信号発生器２７に接続されたＢ入力端子（第２の入力端子）と、これらＡ入力端子およびＢ入力端子に対して接続切換が可能でテレビカメラアイリス制御切換スイッチ２３’のＢ入力端子に接続された出力端子とを有するアイリスカメラレンズ制御切換スイッチ（第２の入力指令切換手段）である。このアイリスカメラレンズ制御切換スイッチ２８’は撮影者のマニュアル操作によってＡ入力端子側とＢ入力端子側とに切り換わる。なお、テレビカメラアイリス制御切換スイッチ２３’およびアイリスカメラレンズ制御切換スイッチ２８’のＡ入力端子とテレビレンズ接続コネクタ２１のｅピンとを繋ぐラインが請求の範囲にいうカメラ指令入力ラインに相当する。また、テレビカメラアイリス制御切換スイッチ２３’およびアイリスカメラレンズ制御切換スイッチ２８’により請求の範囲にいう入力指令切換回路が構成される。
【００７０】
ズームデマンド３００’において、３４はテレビレンズ１００’の指令信号切換スイッチ３２をＡ側（ズーム側）に切り換えるための信号を出力する、言い換えればデマンド接続コネクタ１６のｄピンからテレビレンズ１００に入力される指令信号がズーム指令信号であることを示すズーム認識信号出力器である。
【００７１】
上記構成において、まずズームデマンド３００’のサムリング２４を用いて、ズームレンズ光学系５の制御を行う場合について説明する。サムリング２４が操作されると、このサムリング２４の操作量に比例した駆動方向および駆動速度（駆動量や駆動位置であってもよい）を指示するズーム指令信号がズーム指令信号発生器２５から出力される。このズーム指令信号は、テレビレンズ接続コネクタ２０のｄピン、デマンドケーブル１８およびデマンド接続コネクタ１６のｄピンを介して指令信号切換スイッチ３２に入力される。
【００７２】
このとき、指令信号切換スイッチ３２の作動端子には、ズーム認識信号出力器３４からの信号が入力され、指令信号切換スイッチ３２はＡ側に切り換わっているため、ズーム指令信号はズーム制御器８に入力される。
【００７３】
ズーム制御器８はズーム指令信号に応じてズームモータ６を制御し、ズームレンズ光学系５を駆動させる。そして、ズームレンズ光学系５の駆動に連動してズーム位置検出器７がズームレンズ光学系５の位置に応じた位置信号をズーム制御器８に出力する。ズーム制御器８は、この位置信号に基づいてズームレンズ光学系５の可動範囲内での制御を行う。
【００７４】
次に、フォーカスデマンド４００’を用いてフォーカスレンズ光学系１の制御を行う場合について説明する。フォーカスデマンド４００’の操作ノブ３１が操作されると、その操作量に比例した駆動位置を指示するフォーカス指令信号がフォーカス指令信号発生器３０から出力される。フォーカス指令信号は、テレビレンズ接続コネクタ２１のｂピン、デマンドケーブル１９およびデマンド接続コネクタ１７のｂピンを介して　フォーカス制御器４に入力される。
【００７５】
これにより、フォーカス制御器４はフォーカスモータ２を制御し、フォーカスレンズ光学系１を駆動させる。そして、フォーカスレンズ光学系１の駆動に連動してフォーカス位置検出器３がフォーカスレンズ光学系１の位置に応じた位置信号をフォーカス制御器４に出力する。フォーカス制御器４は、この位置信号とフォーカス指令信号発生器３０からのフォーカス指令信号との差が０となるようにフォーカスレンズ光学系１を制御する。
【００７６】
次に、アイリス羽根９の制御を行う場合について説明する。まず、テレビカメラ２００からのアイリス強制切換信号ＩＣＬがＯＮ、即ちテレビカメラ２００からのアイリスの制御が選択された場合のアイリス羽根９の制御について説明する。
【００７７】
この場合、テレビカメラ２００からのテレビカメラアイリス指令信号ＩＣＣが、テレビカメラ接続コネクタ１５、デマンド接続コネクタ１７のｅピン、デマンドケーブル１９およびテレビレンズ接続コネクタ２１のｅピンを介してテレビカメラアイリス制御切換スイッチ２３’のＡ入力端子とアイリスカメラレンズ制御切換スイッチ２８’のＡ入力端子とに入力される。
【００７８】
一方、テレビカメラ２００からのアイリス強制切換信号ＩＣＬのＯＮ信号が、テレビカメラ接続コネクタ１５、デマンド接続コネクタ１７のａピン、デマンドケーブル１９およびテレビレンズ接続コネクタ２１のａピンを介してテレビカメラアイリス制御切換スイッチ２３’の作動端子に入力される。これにより、テレビカメラアイリス制御切換スイッチ２３’はＡ入力端子側に切り換えられ、この切換スイッチ２３’の出力端子からテレビレンズ接続コネクタ２１のｄピン、デマンドケーブル１９およびデマンド接続コネクタ１７のｄピンを介して指令信号切換スイッチ３３にテレビカメラアイリス指令信号ＩＣＣが出力される。
【００７９】
またこのとき、アイリス認識信号出力器２２’からの信号がテレビレンズ接続コネクタ２１のｃピン、デマンドケーブル１９、デマンド接続コネクタ１７のｃピンを介して指令信号切換スイッチ３３の作動端子に入力されているため、指令信号切換スイッチ３３はＢ側に切り換わり、テレビカメラアイリス指令信号ＩＣＣをアイリス制御切換１２に供給する。
【００８０】
これにより、アイリス制御器１２はアイリスモータ１０を制御し、アイリス羽根９を駆動させる。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【００８１】
次に、テレビカメラ２００からのアイリス強制切換信号ＩＣＬがＯＦＦで、アイリスカメラレンズ制御切換スイッチ２８’がＡ側にセットされている場合、即ち撮影者によりテレビカメラ２００からのアイリスの制御が選択された場合のアイリス羽根９の制御について説明する。
【００８２】
この場合、テレビカメラ２００からのテレビカメラアイリス指令信号ＩＣＣが、テレビカメラ接続コネクタ１５、デマンド接続コネクタ１７のｅピン、デマンドケーブル１９およびテレビレンズ接続コネクタ２１のｅピンを介してテレビカメラアイリス制御切換スイッチ２３’とアイリスカメラレンズ制御切換スイッチ２８’のＡ入力端子に入力される。
【００８３】
一方、テレビカメラ２００からのアイリス強制切換信号ＩＣＬのＯＦＦ信号が、テレビカメラ接続コネクタ１５、デマンド接続コネクタ１７のａピン、デマンドケーブル１９およびテレビレンズ接続コネクタ２１のａピンを介して、テレビカメラアイリス制御切換スイッチ２３’の作動端子に入力される。これにより、テレビカメラアイリス制御切換スイッチ２３’はＢ入力端子側に切り換わり、かつ撮影者によってアイリスカメラレンズ制御切換スイッチ２８’はＡ入力端子側にセットされているため、テレビレンズ接続コネクタ２１のｅピンに入力されたテレビカメラアイリス指令信号ＩＣＣは、アイリスカメラレンズ制御切換スイッチ２８’のＡ入力端子、テレビカメラアイリス制御切換スイッチ２３’のＢ入力端子、テレビレンズ接続コネクタ２１のｄピン、デマンドケーブル１９およびデマンド接続コネクタ１７のｄピンを介して指令信号切換スイッチ３３に出力される。
【００８４】
このとき、アイリス認識信号出力器２２’からの信号がテレビレンズ接続コネクタ２１のｃピン、デマンドケーブル１９およびデマンド接続コネクタ１７のｃピンを介して指令信号切換スイッチ３３の作動端子に入力されているため、指令信号切換スイッチ３３はＢ側に切り換わり、テレビカメラアイリス指令信号ＩＣＣをアイリス制御器１２に供給する。
【００８５】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【００８６】
次に、テレビカメラ２００からのアイリス強制切換信号ＩＣＬがＯＦＦで、アイリスカメラレンズ制御切換スイッチ２８’がＢ側にセットされている場合、即ち撮影者によりアイリス操作ノブ２６からのアイリスの制御が選択された場合のアイリス羽根９の制御について説明する。
【００８７】
アイリス操作ノブ２６が操作されると、その操作量に比例したアイリス操作指令信号がアイリス指令信号発生器２７から出力され、アイリスカメラレンズ制御切換スイッチ２８’のＢ入力端子に入力される。
【００８８】
一方、テレビカメラ２００からのアイリス強制切換信号ＩＣＬのＯＦＦ信号が、テレビカメラ接続コネクタ１５、デマンド接続コネクタ１７のａピン、デマンドケーブル１９およびテレビレンズ接続コネクタ２１のａピンを介してテレビカメラアイリス制御切換スイッチ２３’の作動端子に入力される。これにより、テレビカメラアイリス制御切換スイッチ２３’はＢ入力端子側に切り換わり、かつ撮影者によってアイリスカメラレンズ制御切換スイッチ２８’はＢ入力端子側にセットされているため、アイリス操作指令信号は、アイリスカメラレンズ制御切換スイッチ２８’のＢ入力端子側、テレビカメラアイリス制御切換スイッチ２３’のＢ入力端子、テレビレンズ接続コネクタ２１のｄピン、デマンドケーブル１９およびデマンド接続コネクタ１７のｄピンを介して指令信号切換スイッチ３３に出力される。
【００８９】
このとき、アイリス認識信号出力器２２’からの信号がテレビレンズ接続コネクタ２１のｃピン、デマンドケーブル１９およびデマンド接続コネクタ１７のｃピンを介して指令信号切換スイッチ３３の作動端子に入力されているため、指令信号切換スイッチ３３はＢ側に切り換わり、アイリス操作指令信号をアイリス制御器１２に供給する。
【００９０】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とアイリス操作指令信号との差が０となるようにアイリス羽根９を制御する。
【００９１】
以上説明したように、本実施形態によれば、撮影者は、フォーカスデマンド４００’において操作ノブ３１によるフォーカス操作を行いながら、簡単にアイリス操作ノブ２６によるアイリス操作も自身の意思により行うことができる。
【００９２】
また、フォーカスデマンド４００’に設けられた光量調節指令出力ラインおよびテレビレンズ１００’に設けられた光量調節指令入力ラインは、アイリス制御器１２に対してカメラ２００側からのテレビカメラアイリス指令信号とデマンド４００’側からのアイリス操作指令信号の双方の供給ラインを兼ねているので、指令信号ごとに別々の供給ラインを設ける場合に比べてコネクタ１７，２１のピン数を少なくすることができる。
【００９３】
また、本実施形態では、テレビレンズ接続コネクタ２１にアイリス操作ノブ２６を有するフォーカスデマンド４００’を接続し、テレビレンズ接続コネクタ２０にズームデマンド３００’を接続した場合について説明したが、テレビレンズ接続コネクタ２０にアイリス操作ノブ２６を有するフォーカスデマンド４００’を、テレビレンズ接続コネクタ２１にズームデマンド３００’を接続しても、アイリス操作ノブ２６を通じたアイリス操作が可能である。この場合、指令信号切換スイッチ３２に、デマンド接続コネクタ１６のｄピンを通じてテレビカメラアイリス指令信号とアイリス操作指令信号とが入力されることになる。すなわち、指令信号切換スイッチ３２とデマンド接続コネクタ１６のｄピンとを繋ぐラインが請求の範囲にいう光量調節指令入力ラインになる。
【００９４】
そしてこの場合、指令信号切換スイッチ３３の作動端子には、テレビレンズ接続コネクタ２１およびデマンド接続コネクタ１７のｃピンを介してズームデマンド３００’のズーム認識信号出力器３４からの信号が入力されるため、指令信号切換スイッチ３３はＡ側に切り換わる。したがって、サムリング２４の操作量に比例したズーム指令信号は、テレビレンズ接続コネクタ２１およびデマンド接続コネクタ１７のｄピン、さらには指令信号切換スイッチ３３のＡ側を介してズーム制御器８に供給される。
【００９５】
すなわち、テレビレンズ１００’に設けられた光量調節指令入力ライン（デマンド接続コネクタ１７のｄピンと指令信号切換スイッチ３３とを繋ぐライン）は、アイリス操作ノブ２６を有するフォーカスデマンド４００’からのアイリス操作指令信号の入力ラインおよびズームデマンド３００’からのズーム指令信号の入力ラインとして兼用することが可能である。これにより、デマンド接続コネクタ１７には、このコネクタ１７のピン数を少なくしつつ、アイリス操作ノブ２６を有するフォーカスデマンド４００’とズームデマンド３００’の双方を接続することができる。
【００９６】
なお、本実施形態では、カメラ２００側からのテレビカメラアイリス指令信号とデマンド４００’側からのアイリス操作指令信号との電圧値がアイリス制御器１２に対して共通である場合について説明したが、テレビカメラアイリス指令信号とアイリス操作指令信号との電圧値が異なる場合には、フォーカスデマンド４００’内若しくはテレビレンズ１００’内に、アイリス操作指令信号の電圧値をテレビカメラアイリス指令信号に一致させる電圧変換器を設けるようにしてもよい。
【００９７】
また、本実施形態では、デマンド接続コネクタ、デマンドケーブル、テレビレンズ接続コネクタそれぞれのｄピンをズーム指令信号とアイリス指令信号の共通のピンとした場合について説明したが、デマンド接続コネクタ、デマンドケーブル、テレビレンズ接続コネクタのそれぞれに１ピンずつ増設して、ズーム指令信号とアイリス指令信号をそれぞれ別のピンを通じて供給するようにしてもよい。
【００９８】
また、本実施形態では、デマンド接続コネクタ１６，１７のピン配置を同一のものとして説明したが、これを各々ズームデマンド専用とフォーカスデマンド専用のピン配置としてもよい。
【００９９】
（第３実施形態）
上記第１，２実施形態では、アイリス制御器１２に入力されるカメラ２００からのテレビカメラアイリス指令信号ＩＣＣとアイリス指令信号発生器２７（アイリス操作ノブ２６）からのアイリス操作指令信号との切換えをデマンド３００，４００’に設けた入力指令切換回路により行う場合について説明したが、この入力指令切換回路をテレビレンズ７００内にを設けてもよい。
【０１００】
図３には、本発明の第３実施形態である光学調節システムの構成を示している。この光学調節システムは、テレビレンズ（光学装置）７００と、テレビレンズ７００に接続されるズームデマンド５００およびフォーカスデマンド６００とから構成されている。また、テレビレンズ７００がテレビカメラ２００に装着されることにより、カメラシステムが構成される。
【０１０１】
次に、テレビレンズ７００、ズームデマンド５００およびフォーカスデマンド６００の内部の構成について説明する。
【０１０２】
テレビレンズ７００において、１は焦点調節を行うフォーカスレンズ光学系、２はフォーカスレンズ光学系１を駆動するフォーカスモータ、３はフォーカスレンズ光学系１の位置に応じた位置信号を出力するフォーカス位置検出器、４はフォーカスモータ２を制御するフォーカス制御器である。なお、フォーカスレンズ光学系１，フォーカスモータ２およびフォーカス制御器４により請求の範囲にいう焦点調節手段が構成される。
【０１０３】
５は変倍調節を行うズームレンズ光学系、６はズームレンズ光学系５を駆動するズームモータ、７はズームレンズ光学系５の位置に応じた位置信号を出力するズーム位置検出器、８はズームモータ６を制御するズーム制御器である。なお、ズームレンズ光学系５，ズームモータ６およびズーム制御器８により請求の範囲にいう変倍調節手段が構成される。
【０１０４】
９は絞り調節を行うアイリス羽根、１０はアイリス羽根９を駆動するアイリスモータ、１１はアイリス羽根９の位置に応じた位置信号を出力するアイリス位置検出器、１２はアイリスモータ１０を制御するアイリス制御器である。なお、アイリス羽根９，アイリスモータ１０およびアイリス制御器１２により請求の範囲にいう光量調節手段が構成される。
【０１０５】
１３は後述するデマンド接続コネクタ１６のｂピンから入力されるフォーカス指令信号又はアイリス指令信号をそれぞれフォーカス制御器４又はアイリス制御器１２に選択的に供給する指令信号切換スイッチ（接続切換手段）である。なお、指令信号切換スイッチ１３の入力端子とデマンド接続コネクタ１６のｂピンとをつなぐラインが、請求の範囲にいう光量調節指令入力ラインに相当する。
【０１０６】
１４は後述するデマンド接続コネクタ１７のｂピンから入力されるフォーカス指令信号又はアイリス指令信号をそれぞれフォーカス制御器４又はアイリス制御器１２に選択的に供給する指令信号切換スイッチである。
【０１０７】
１５はテレビレンズ７００とテレビカメラ２００とを電気的に接続するテレビカメラ接続コネクタ、１６，１７はズームデマンド３００やフォーカスデマンド４００をテレビレンズ１００に接続するデマンド接続コネクタ、１８，１９はズームデマンド５００やフォーカスデマンド６００とテレビレンズ７００とを接続するデマンドケーブル、２０，２１はテレビレンズ７００をズームデマンド５００やフォーカスデマンド６００に接続するテレビレンズ接続コネクタである。
【０１０８】
３６はテレビカメラ２００からのテレビカメラアイリス指令信号ＩＣＣの入力を受けるＡ入力端子（第１の入力端子）と、Ｂ入力端子（第２の入力端子）と、これらＡ入力端子およびＢ入力端子に対して接続切換が可能でアイリス制御器１２に接続された出力端子とを有するテレビカメラアイリス制御切換スイッチ（第１の入力指令切換手段）である。
【０１０９】
このテレビカメラアイリス制御切換スイッチ３６は、テレビカメラ２００から入力されるアイリス強制切換信号（カメラ側からアイリス駆動を行うことを示す信号）ＩＣＬのオン信号を受けることによりＡ入力端子側に切り換わり、同オフ信号を受けることによりＢ入力端子側に切り換わる。
【０１１０】
また、３５はテレビカメラ２００からのテレビカメラアイリス指令信号ＩＣＣの入力を受けるＡ入力端子（第１の入力端子）と、指令信号切換スイッチ１３のＢ側を介して光量調節指令入力ラインが接続されるＢ入力端子（第２の入力端子）と、これらＡ入力端子およびＢ入力端子に対して接続切換が可能でテレビカメラアイリス制御切換スイッチ３６のＢ入力端子に接続された出力端子とを有するアイリスカメラレンズ制御切換スイッチ（第２の入力指令切換手段）である。このアイリスカメラレンズ制御切換スイッチ３５は、後述するアイリスローカル／カメラ選択スイッチ３７からのカメラ選択信号を受けることによりＡ入力端子側に切り換わり、ローカル選択信号を受けることによりＢ入力端子側に切り換わる。
【０１１１】
なお、テレビカメラアイリス制御切換スイッチ３６およびアイリスカメラレンズ制御切換スイッチ３５のＡ入力端子とテレビカメラ接続コネクタ１５とを繋ぐラインが請求の範囲にいうカメラ指令入力ラインに相当する。また、テレビカメラアイリス制御切換スイッチ３６およびアイリスカメラレンズ制御切換スイッチ３５により請求の範囲にいう入力指令切換回路が構成される。
【０１１２】
ズームデマンド５００において、２４はズームデマンド５００のサムリング、２５はサムリング２４の操作量に比例したズーム指令信号を出力するズーム指令信号発生器である。
【０１１３】
２６はアイリス操作ノブ、２７はアイリス操作ノブ２６の操作量に比例したアイリス操作指令信号を出力するアイリス指令信号発生器である。なお、アイリス操作ノブ２６およびアイリス指令信号発生器２７により請求の範囲にいう光量調節操作手段が構成される。また、アイリス指令信号発生器２７とテレビレンズ接続コネクタ２０のｂピンとを繋ぐラインが請求の範囲にいう光量調節指令出力ラインに相当する。
【０１１４】
２２はテレビレンズ７００の指令信号切換スイッチ１３をＢ側（アイリスカメラレンズ制御切換スイッチ３５およびテレビカメラアイリス制御切換スイッチ３６を介したアイリス側）に切り換えるための信号（請求の範囲にいう入力回路構成を切り換えるための信号）を出力する、言い換えればデマンド接続コネクタ１６のｂピンからテレビレンズ１００に入力される指令信号がアイリス指令信号であることを示すアイリス認識信号出力器（信号出力手段）である。
【０１１５】
３７はアイリス制御をズームデマンド５００のアイリス操作ノブ２６を通じて行う（ローカル）かカメラ２００から行わせるかを撮影者が選択するために設けられたアイリスローカル／カメラ選択スイッチである。このアイリスローカル／カメラ選択スイッチ３７は、オフ状態にてカメラ選択信号をテレビレンズ接続コネクタ２０のａピン、デマンドケーブル１８およびデマンド接続コネクタ１６のａピンを介してアイリスカメラレンズ制御切換スイッチ３５の作動端子に供給し、オン状態にてローカル選択信号をテレビレンズ接続コネクタ２０のａピン、デマンドケーブル１８およびデマンド接続コネクタ１６のａピンを介してアイリスカメラレンズ制御切換スイッチ３５の作動端子に供給する。
【０１１６】
フォーカスデマンド６００において、２９はテレビレンズ７００の指令信号切換スイッチ１４をＡ側（フォーカス側）に切り換えるための信号を出力する、言い換えればデマンド接続コネクタ１７のｂピンからテレビレンズ７００に入力される指令信号がフォーカス指令信号であることを示すフォーカス認識信号出力器である。
【０１１７】
３１はフォーカス操作ノブであり、３０はフォーカス操作ノブ３１の操作量に比例したフォーカス指令信号を出力するフォーカス指令信号発生器である。
【０１１８】
上記構成において、まずズームデマンド５００のサムリング２４を用いて、ズームレンズ光学系５の制御を行う場合について説明する。サムリング２４が操作されると、このサムリング２４の操作量に比例した駆動方向および駆動速度（駆動量や駆動位置であってもよい）を指示するズーム指令信号がズーム指令信号発生器２５から出力される。このズーム指令信号は、テレビレンズ接続コネクタ２０のｄピン、デマンドケーブル１８およびデマンド接続コネクタ１６のｄピンを介してズーム制御器８に入力される。
【０１１９】
ズーム制御器８はズーム指令信号に応じてズームモータ６を制御し、ズームレンズ光学系５を駆動させる。そして、ズームレンズ光学系５の駆動に連動してズーム位置検出器７がズームレンズ光学系５の位置に応じた位置信号をズーム制御器８に出力する。ズーム制御器８は、この位置信号に基づいてズームレンズ光学系５の可動範囲内での制御を行う。
【０１２０】
次に、フォーカスデマンド６００を用いてフォーカスレンズ光学系１の制御を行う場合について説明する。フォーカスデマンド６００の操作ノブ３１が操作されると、その操作量に比例した駆動位置を指示するフォーカス指令信号がフォーカス指令信号発生器３０から出力される。フォーカス指令信号は、テレビレンズ接続コネクタ２１のｂピン、デマンドケーブル１９およびデマンド接続コネクタ１７のｂピンを介して指令信号切換スイッチ１４の入力端子に入力される。
【０１２１】
このとき、フォーカス認識信号出力器２９からの信号がテレビレンズ接続コネクタ２１のｃピン、デマンドケーブル１９およびデマンド接続コネクタ１７のｃピンを介して指令信号切換スイッチ１４の作動端子に入力される。これにより、指令信号切換スイッチ１４はＡ側に切り換わり、フォーカス制御器４にフォーカス指令信号を供給する。これにより、フォーカス制御器４はフォーカスモータ２を制御し、フォーカスレンズ光学系１を駆動させる。
【０１２２】
そして、フォーカスレンズ光学系１の駆動に連動してフォーカス位置検出器３がフォーカスレンズ光学系１の位置に応じた位置信号をフォーカス制御器４に出力する。フォーカス制御器４は、この位置信号とフォーカス指令信号発生器３０からのフォーカス指令信号との差が０となるようにフォーカスレンズ光学系１を制御する。
【０１２３】
次に、アイリス羽根９の制御を行う場合について説明する。まず、テレビカメラ２００からのアイリス強制切換信号ＩＣＬがＯＮ、即ちテレビカメラ２００からのアイリスの制御が選択された場合のアイリス羽根９の制御について説明する。
【０１２４】
この場合、テレビカメラ２００からのテレビカメラアイリス指令信号ＩＣＣが、テレビカメラ接続コネクタ１５を介してテレビカメラアイリス制御切換スイッチ３６のＡ入力端子とアイリスカメラレンズ制御切換スイッチ３５のＡ入力端子とに入力される。
【０１２５】
一方、テレビカメラ２００からのアイリス強制切換信号ＩＣＬのＯＮ信号が、テレビカメラ接続コネクタ１５を介してテレビカメラアイリス制御切換スイッチ３６の作動端子に入力される。これにより、テレビカメラアイリス制御切換スイッチ３６はＡ入力端子側に切り換えられ、この切換スイッチ３６の出力端子からテレビカメラアイリス指令信号ＩＣＣがアイリス制御器１２に出力される。
【０１２６】
これにより、アイリス制御器１２はアイリスモータ１０を制御し、アイリス羽根９を駆動させる。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【０１２７】
次に、テレビカメラ２００からのアイリス強制切換信号ＩＣＬがＯＦＦで、アイリスカメラレンズ制御切換スイッチ３５がＡ側にセットされている場合、即ち撮影者によりアイリスローカル／カメラ選択スイッチ３７がオフされ、カメラ選択信号がアイリスカメラレンズ制御切換スイッチ３５の作動端子に入力されることにより、テレビカメラ２００からのアイリスの制御が選択された場合のアイリス羽根９の制御について説明する。
【０１２８】
この場合、テレビカメラ２００からのテレビカメラアイリス指令信号ＩＣＣが、テレビカメラ接続コネクタ１５を介してテレビカメラアイリス制御切換スイッチ３６とアイリスカメラレンズ制御切換スイッチ３５のＡ入力端子に入力される。
【０１２９】
一方、テレビカメラ２００からのアイリス強制切換信号ＩＣＬのＯＦＦ信号が、テレビカメラ接続コネクタ１５を介してテレビカメラアイリス制御切換スイッチ３６の作動端子に入力される。これにより、テレビカメラアイリス制御切換スイッチ３６はＢ入力端子側に切り換わる。
【０１３０】
このため、テレビカメラアイリス指令信号ＩＣＣは、アイリスカメラレンズ制御切換スイッチ３５のＡ入力端子およびテレビカメラアイリス制御切換スイッチ３６のＢ入力端子を介してアイリス制御器１２に出力される。
【０１３１】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【０１３２】
次に、テレビカメラ２００からのアイリス強制切換信号ＩＣＬがＯＦＦで、アイリスカメラレンズ制御切換スイッチ３５がＢ側にセットされている場合、即ち撮影者によりアイリスローカル／カメラ選択スイッチ３７がオンされ、ローカル選択信号がアイリスカメラレンズ制御切換スイッチ３５の作動端子に入力されることにより、アイリス操作ノブ２６からのアイリスの制御が選択された場合のアイリス羽根９の制御について説明する。
【０１３３】
アイリス操作ノブ２６が操作されると、その操作量に比例したアイリス操作指令信号がアイリス指令信号発生器２７から出力され、テレビレンズ接続コネクタ２１のｂピン、デマンドケーブル１８およびデマンド接続コネクタ１６のｂピンを介して指令信号切換スイッチ１４の入力端子に入力される。
【０１３４】
このとき、アイリス認識信号出力器２２からの信号がテレビレンズ接続コネクタ２０のｃピン、デマンドケーブル１８およびデマンド接続コネクタ１６のｃピンを介して指令信号切換スイッチ１３の作動端子に入力される。これにより、指令信号切換スイッチ１３はＢ側に切り換わり、アイリス操作指令信号はアイリスカメラレンズ制御切換スイッチ３５のＢ入力端子に入力される。
【０１３５】
一方、テレビカメラ２００からのアイリス強制切換信号ＩＣＬのＯＦＦ信号が、テレビカメラ接続コネクタ１５を介してテレビカメラアイリス制御切換スイッチ３６の作動端子に入力され、テレビカメラアイリス制御切換スイッチ３６はＢ入力端子側に切り換わる。
【０１３６】
このため、アイリス操作指令信号は、アイリスカメラレンズ制御切換スイッチ３５のＢ入力端子、テレビカメラアイリス制御切換スイッチ３６のＢ入力端子を介してアイリス制御器１２に供給される。
【０１３７】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とアイリス操作指令信号との差が０となるようにアイリス羽根９を制御する。
【０１３８】
以上説明したように、本実施形態によれば、撮影者は、ズームデマンド５００においてサムリング２４によるズーム操作を行いながら、簡単にアイリス操作ノブ２６によるアイリス操作も自身の意思により行うことができる。
【０１３９】
また、入力指令切換回路（テレビカメラアイリス制御切換スイッチ３６およびアイリスカメラレンズ制御切換スイッチ３５）をズームデマンド５００側ではなく、テレビレンズ７００内に設けているので、アイリス操作ノブ２６を有するズームデマンド５００の構成を簡単化することができる。
【０１４０】
また、本実施形態では、テレビレンズ接続コネクタ２０にアイリス操作ノブ２６を有するズームデマンド５００を接続し、テレビレンズ接続コネクタ２１にフォーカスデマンド６００を接続した場合について説明したが、テレビレンズ接続コネクタ２０にフォーカスデマンド６００を、テレビレンズ接続コネクタ２１にアイリス操作ノブ２６を有するズームデマンド５００を接続しても、アイリス操作ノブ２６を通じたアイリス操作が可能である。この場合、指令信号切換スイッチ１４に、デマンド接続コネクタ１７のｂピンを通じてアイリス操作指令信号が入力されることになる。すなわち、指令信号切換スイッチ１４とデマンド接続コネクタ１７のｂピンとを繋ぐラインが請求の範囲にいう光量調節指令入力ラインになる。
【０１４１】
そしてこの場合、指令信号切換スイッチ１３の作動端子には、テレビレンズ接続コネクタ２０およびデマンド接続コネクタ１６のｃピンを介してフォーカスデマンド６００のフォーカス認識信号出力器２９からの信号が入力されるため、指令信号切換スイッチ１３はＡ側に切り換わる。したがって、フォーカス操作ノブ３１の操作量に比例したフォーカス指令信号は、テレビレンズ接続コネクタ２０およびデマンド接続コネクタ１６のｂピン、さらには指令信号切換スイッチ１３のＡ側を介してフォーカス制御器４に供給される。
【０１４２】
すなわち、テレビレンズ７００に設けられた光量調節指令入力ライン（デマンド接続コネクタ１６のｂピンと指令信号切換スイッチ１３とを繋ぐライン）は、アイリス操作ノブ２６を有するズームデマンド５００からのアイリス操作指令信号の入力ラインおよびフォーカスデマンド６００からのフォーカス指令信号の入力ラインとして兼用することが可能である。これにより、デマンド接続コネクタ１６には、このコネクタ１６のピン数を少なくしつつ、アイリス操作ノブ２６を有するズームデマンド５００とフォーカスデマンド６００の双方を接続することができる。
【０１４３】
なお、本実施形態では、カメラ２００側からのテレビカメラアイリス指令信号とデマンド５００側からのアイリス操作指令信号との電圧値がアイリス制御器１２に対して共通である場合について説明したが、テレビカメラアイリス指令信号とアイリス操作指令信号との電圧値が異なる場合には、ズームデマンド５００内若しくはテレビレンズ７００内に、アイリス操作指令信号の電圧値をテレビカメラアイリス指令信号に一致させる電圧変換器を設けるようにしてもよい。
【０１４４】
また、本実施形態では、デマンド接続コネクタ、デマンドケーブル、テレビレンズ接続コネクタそれぞれのｂピンをフォーカス指令信号とアイリス指令信号の共通のピンとした場合について説明したが、デマンド接続コネクタ、デマンドケーブル、テレビレンズ接続コネクタのそれぞれに１ピンずつ増設して、フォーカス指令信号とアイリス指令信号をそれぞれ別のピンを通じて供給するようにしてもよい。
【０１４５】
また、本実施形態では、デマンド接続コネクタ１６，１７のピン配置を同一のものとして説明したが、これを各々ズームデマンド専用とフォーカスデマンド専用のピン配置としてもよい。
【０１４６】
（第４実施形態）
上記第３実施形態では、ズームデマンドにアイリス操作ノブを設けた場合について説明したが、フォーカスデマンドにアイリス操作ノブを設けてもよい。
【０１４７】
図４には、本発明の第４実施形態である光学調節システムの構成を示している。この光学調節システムは、第３実施形態と同様に、テレビレンズ（光学装置）７００’と、テレビレンズ７００’に接続されるズームデマンド５００’およびフォーカスデマンド６００’とから構成されている。また、テレビレンズ７００がテレビカメラ２００に装着されることにより、カメラシステムが構成される。
【０１４８】
次に、テレビレンズ７００’、ズームデマンド５００’およびフォーカスデマンド６００’の内部の構成について説明する。なお、第３実施形態と共通する構成要素には第３実施形態と同符号を付して説明に代える。
【０１４９】
テレビレンズ７００’において、３３はデマンド接続コネクタ１６のｄピンから入力されるズーム指令信号又はアイリス指令信号をそれぞれズーム制御器８又はアイリス制御器１２に選択的に供給する指令信号切換スイッチ（接続切換手段）である。なお、指令信号切換スイッチ３３の入力端子とデマンド接続コネクタ１７のｄピンとをつなぐラインが、請求の範囲にいう光量調節指令入力ラインに相当する。
【０１５０】
３２はデマンド接続コネクタ１６のｄピンから入力されるズーム指令信号又はアイリス指令信号をそれぞれズーム制御器４又はアイリス制御器１２に選択的に供給する指令信号切換スイッチである。
【０１５１】
３６，３５はそれぞれ、第３実施形態にて示したものと同じテレビカメラアイリス制御切換スイッチおよびアイリスカメラレンズ制御切換スイッチである。なお、アイリスカメラレンズ制御切換スイッチ３５は、後述するアイリスローカル／カメラ選択スイッチ３７’からのカメラ選択信号を受けることによりＡ入力端子側に切り換わり、ローカル選択信号を受けることによりＢ入力端子側に切り換わる。
【０１５２】
なお、テレビカメラアイリス制御切換スイッチ３６およびアイリスカメラレンズ制御切換スイッチ３５のＡ入力端子とテレビカメラ接続コネクタ１５とを繋ぐラインが請求の範囲にいうカメラ指令入力ラインに相当する。また、テレビカメラアイリス制御切換スイッチ３６およびアイリスカメラレンズ制御切換スイッチ３５により請求の範囲にいう入力指令切換回路が構成される。
【０１５３】
フォーカスデマンド６００’において、２２’はテレビレンズ７００’の指令信号切換スイッチ３３をＢ側（アイリス側）に切り換えるための信号（請求の範囲にいう入力回路構成を切り換えるための信号）を出力する、言い換えればデマンド接続コネクタ１７のｄピンからテレビレンズ７００’に入力される指令信号がアイリス指令信号であることを示すアイリス認識信号出力器（信号出力手段）である。
【０１５４】
また、このフォーカスデマンド６００’には、アイリス操作ノブ２６およびアイリス指令信号発生器２７が設けられている。なお、アイリス指令信号発生器２７とテレビレンズ接続コネクタ２１のｄピンとを繋ぐラインが請求の範囲にいう光量調節指令出力ラインに相当する。
【０１５５】
３７’はアイリス制御をフォーカスデマンド６００’のアイリス操作ノブ２６を通じて行う（ローカル）かカメラ２００から行わせるかを撮影者が選択するために設けられたアイリスローカル／カメラ選択スイッチである。このアイリスローカル／カメラ選択スイッチ３７’は、オフ状態にてカメラ選択信号をテレビレンズ接続コネクタ２１のａピン、デマンドケーブル１９およびデマンド接続コネクタ１７のａピンを介してアイリスカメラレンズ制御切換スイッチ３５の作動端子に供給し、オン状態にてローカル選択信号をテレビレンズ接続コネクタ２１のａピン、デマンドケーブル１９およびデマンド接続コネクタ１７のａピンを介してアイリスカメラレンズ制御切換スイッチ３５の作動端子に供給する。
【０１５６】
ズームデマンド５００’において、３４はテレビレンズ７００’の指令信号切換スイッチ３２をＡ側（ズーム側）に切り換えるための信号を出力する、言い換えればデマンド接続コネクタ１６のｄピンからテレビレンズ７００’に入力される指令信号がズーム指令信号であることを示すズーム認識信号出力器である。
【０１５７】
上記構成において、まずズームデマンド５００’のサムリング２４を用いて、ズームレンズ光学系５の制御を行う場合について説明する。サムリング２４が操作されると、このサムリング２４の操作量に比例した駆動方向および駆動速度（駆動量や駆動位置であってもよい）を指示するズーム指令信号がズーム指令信号発生器２５から出力される。このズーム指令信号は、テレビレンズ接続コネクタ２０のｄピン、デマンドケーブル１８およびデマンド接続コネクタ１６のｄピンを介して指令信号切換スイッチ３２の入力端子に入力される。
【０１５８】
このとき、ズーム認識信号出力器３４からの信号がテレビレンズ接続コネクタ２０のｃピン、デマンドケーブル１８およびデマンド接続コネクタ１６のｃピンを介して指令信号切換スイッチ３２の作動端子に入力される。これにより、指令信号切換スイッチ３２はＡ側に切り換わり、ズーム制御器８にズーム指令信号を供給する。これにより、ズーム制御器８はズームモータ６を制御し、ズームレンズ光学系５を駆動させる。そして、ズームレンズ光学系５の駆動に連動してズーム位置検出器７がズームレンズ光学系５の位置に応じた位置信号をズーム制御器８に出力する。ズーム制御器８は、この位置信号に基づいてズームレンズ光学系５の可動範囲内での制御を行う。
【０１５９】
次に、フォーカスデマンド６００’を用いてフォーカスレンズ光学系１の制御を行う場合について説明する。フォーカスデマンド６００’の操作ノブ３１が操作されると、その操作量に比例した駆動位置を指示するフォーカス指令信号がフォーカス指令信号発生器３０から出力される。フォーカス指令信号は、テレビレンズ接続コネクタ２１のｂピン、デマンドケーブル１９およびデマンド接続コネクタ１７のｂピンを介してフォーカス制御器４に供給される。これにより、フォーカス制御器４はフォーカスモータ２を制御し、フォーカスレンズ光学系１を駆動させる。
【０１６０】
そして、フォーカスレンズ光学系１の駆動に連動してフォーカス位置検出器３がフォーカスレンズ光学系１の位置に応じた位置信号をフォーカス制御器４に出力する。フォーカス制御器４は、この位置信号とフォーカス指令信号発生器３０からのフォーカス指令信号との差が０となるようにフォーカスレンズ光学系１を制御する。
【０１６１】
次に、アイリス羽根９の制御を行う場合について説明する。まず、テレビカメラ２００からのアイリス強制切換信号ＩＣＬがＯＮ、即ちテレビカメラ２００からのアイリスの制御が選択された場合のアイリス羽根９の制御について説明する。
【０１６２】
この場合、テレビカメラ２００からのテレビカメラアイリス指令信号ＩＣＣが、テレビカメラ接続コネクタ１５を介してテレビカメラアイリス制御切換スイッチ３６のＡ入力端子とアイリスカメラレンズ制御切換スイッチ３５のＡ入力端子とに入力される。
【０１６３】
一方、テレビカメラ２００からのアイリス強制切換信号ＩＣＬのＯＮ信号が、テレビカメラ接続コネクタ１５を介してテレビカメラアイリス制御切換スイッチ３６の作動端子に入力される。これにより、テレビカメラアイリス制御切換スイッチ３６はＡ入力端子側に切り換えられ、この切換スイッチ３６の出力端子からテレビカメラアイリス指令信号ＩＣＣがアイリス制御器１２に出力される。
【０１６４】
これにより、アイリス制御器１２はアイリスモータ１０を制御し、アイリス羽根９を駆動させる。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【０１６５】
次に、テレビカメラ２００からのアイリス強制切換信号ＩＣＬがＯＦＦで、アイリスカメラレンズ制御切換スイッチ３５がＡ側にセットされている場合、即ち撮影者によりアイリスローカル／カメラ選択スイッチ３７’がオフされ、カメラ選択信号がアイリスカメラレンズ制御切換スイッチ３５の作動端子に入力されることにより、テレビカメラ２００からのアイリスの制御が選択された場合のアイリス羽根９の制御について説明する。
【０１６６】
この場合、テレビカメラ２００からのテレビカメラアイリス指令信号ＩＣＣが、テレビカメラ接続コネクタ１５を介してテレビカメラアイリス制御切換スイッチ３６とアイリスカメラレンズ制御切換スイッチ３５のＡ入力端子に入力される。
【０１６７】
一方、テレビカメラ２００からのアイリス強制切換信号ＩＣＬのＯＦＦ信号が、テレビカメラ接続コネクタ１５を介してテレビカメラアイリス制御切換スイッチ３６の作動端子に入力される。これにより、テレビカメラアイリス制御切換スイッチ３６はＢ入力端子側に切り換わる。
【０１６８】
このため、テレビカメラアイリス指令信号ＩＣＣは、アイリスカメラレンズ制御切換スイッチ３５のＡ入力端子およびテレビカメラアイリス制御切換スイッチ３６のＢ入力端子を介してアイリス制御器１２に出力される。
【０１６９】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とテレビカメラアイリス指令信号ＩＣＣとの差が０となるようにアイリス羽根９を制御する。
【０１７０】
次に、テレビカメラ２００からのアイリス強制切換信号ＩＣＬがＯＦＦで、アイリスカメラレンズ制御切換スイッチ３５がＢ側にセットされている場合、即ち撮影者によりアイリスローカル／カメラ選択スイッチ３７’がオンされ、ローカル選択信号がアイリスカメラレンズ制御切換スイッチ３５の作動端子に入力されることにより、アイリス操作ノブ２６からのアイリスの制御が選択された場合のアイリス羽根９の制御について説明する。
【０１７１】
アイリス操作ノブ２６が操作されると、その操作量に比例したアイリス操作指令信号がアイリス指令信号発生器２７から出力され、テレビレンズ接続コネクタ２１のｄピン、デマンドケーブル１９およびデマンド接続コネクタ１７のｄピンを介して指令信号切換スイッチ３３の入力端子に入力される。
【０１７２】
このとき、アイリス認識信号出力器２２’からの信号がテレビレンズ接続コネクタ２１のｃピン、デマンドケーブル１９およびデマンド接続コネクタ１７のｃピンを介して指令信号切換スイッチ３３の作動端子に入力される。これにより、指令信号切換スイッチ３３はＢ側に切り換わり、アイリス操作指令信号はアイリスカメラレンズ制御切換スイッチ３５のＢ入力端子に入力される。
【０１７３】
一方、テレビカメラ２００からのアイリス強制切換信号ＩＣＬのＯＦＦ信号が、テレビカメラ接続コネクタ１５を介してテレビカメラアイリス制御切換スイッチ３６の作動端子に入力され、テレビカメラアイリス制御切換スイッチ３６はＢ入力端子側に切り換わる。
【０１７４】
このため、アイリス操作指令信号は、アイリスカメラレンズ制御切換スイッチ３５のＢ入力端子、テレビカメラアイリス制御切換スイッチ３６のＢ入力端子を介してアイリス制御器１２に供給される。
【０１７５】
これにより、アイリス制御器１２はアイリスモータ１０を制御し、アイリス羽根９が駆動される。そして、アイリス羽根９の駆動に連動してアイリス位置検出器１１がアイリス羽根９の位置に応じた位置信号をアイリス制御器１２に出力する。アイリス制御器１２は、この位置信号とアイリス操作指令信号との差が０となるようにアイリス羽根９を制御する。
【０１７６】
以上説明したように、本実施形態によれば、撮影者は、フォーカスデマンド６００’においてフォーカス操作ノブ３１によるフォーカス操作を行いながら、簡単にアイリス操作ノブ２６によるアイリス操作も自身の意思により行うことができる。
【０１７７】
また、入力指令切換回路（テレビカメラアイリス制御切換スイッチ３６およびアイリスカメラレンズ制御切換スイッチ３５）をフォーカスマンド６００’側ではなく、テレビレンズ７００’内に設けているので、アイリス操作ノブ２６を有するフォーカスデマンド６００’の構成を簡単化することができる。
【０１７８】
また、本実施形態では、テレビレンズ接続コネクタ２１にアイリス操作ノブ２６を有するフォーカスデマンド６００’を接続し、テレビレンズ接続コネクタ２０にズームデマンド５００’を接続した場合について説明したが、テレビレンズ接続コネクタ２１にズームデマンド５００’を、テレビレンズ接続コネクタ２０にアイリス操作ノブ２６を有するフォーカスデマンド６００’を接続しても、アイリス操作ノブ２６を通じたアイリス操作が可能である。この場合、指令信号切換スイッチ３２に、デマンド接続コネクタ１６のｄピンを通じてアイリス操作指令信号が入力されることになる。すなわち、指令信号切換スイッチ３２とデマンド接続コネクタ１６のｄピンとを繋ぐラインが請求の範囲にいう光量調節指令入力ラインになる。
【０１７９】
そしてこの場合、指令信号切換スイッチ３３の作動端子には、テレビレンズ接続コネクタ２１およびデマンド接続コネクタ１７のｃピンを介してズームデマンド５００’のズーム認識信号出力器３４からの信号が入力されるため、指令信号切換スイッチ３３はＡ側に切り換わる。したがって、サムリング２４の操作量に比例したズーム指令信号は、テレビレンズ接続コネクタ２１およびデマンド接続コネクタ１７のｄピン、さらには指令信号切換スイッチ３３のＡ側を介してズーム制御器８に供給される。
【０１８０】
すなわち、テレビレンズ７００’に設けられた光量調節指令入力ライン（デマンド接続コネクタ１７のｄピンと指令信号切換スイッチ３３とを繋ぐライン）は、アイリス操作ノブ２６を有するフォーカスデマンド６００’からのアイリス操作指令信号の入力ラインおよびズームデマンド５００’からのズーム指令信号の入力ラインとして兼用することが可能である。これにより、デマンド接続コネクタ１７には、このコネクタ１７のピン数を少なくしつつ、アイリス操作ノブ２６を有するフォーカスデマンド６００’とズームデマンド５００’の双方を接続することができる。
【０１８１】
なお、本実施形態では、カメラ２００側からのテレビカメラアイリス指令信号とデマンド６００’側からのアイリス操作指令信号との電圧値がアイリス制御器１２に対して共通である場合について説明したが、テレビカメラアイリス指令信号とアイリス操作指令信号との電圧値が異なる場合には、フォーカスデマンド６００’内若しくはテレビレンズ７００’内に、アイリス操作指令信号の電圧値をテレビカメラアイリス指令信号に一致させる電圧変換器を設けるようにしてもよい。
【０１８２】
また、本実施形態では、デマンド接続コネクタ、デマンドケーブル、テレビレンズ接続コネクタそれぞれのｄピンをズーム指令信号とアイリス指令信号の共通のピンとした場合について説明したが、デマンド接続コネクタ、デマンドケーブル、テレビレンズ接続コネクタのそれぞれに１ピンずつ増設して、ズーム指令信号とアイリス指令信号をそれぞれ別のピンを通じて供給するようにしてもよい。
【０１８３】
また、本実施形態では、デマンド接続コネクタ１６，１７のピン配置を同一のものとして説明したが、これを各々ズームデマンド専用とフォーカスデマンド専用のピン配置としてもよい。
【０１８４】
また、上記各実施形態は、ズームレンズ光学系、フォーカスレンズ光学系およびアイリスといった光学調節手段と、これら光学調節手段の駆動・制御系（モータ、制御器および切換スイッチ等）とが１つの外装内に収められたテレビレンズについて説明したが、本発明は、ズームレンズ光学系、フォーカスレンズ光学系およびアイリスが収められた光学装置本体に、駆動・制御系を別ユニット化した光学装置駆動ユニットを装着するタイプの光学装置であって、光学装置駆動ユニットにデマンドが接続可能なものにも適用することができる。
【０１８５】
さらに、上記各実施形態では、ハード的な構成によりデマンド側からのアイリス制御を行えるようにした場合について説明したが、ソフトウェアにより同様にデマンド側からのアイリス制御を行えるようにしてもよい。
【０１８６】
【発明の効果】
以上説明したように、本発明によれば、駆動指令操作装置に、操作に応じて光量調節手段の駆動を指令するための光量調節指令信号を出力する光量調節操作手段を設け、また、光学装置又は駆動ユニットに上記駆動指令操作装置に設けられた光量調節操作手段から出力される光量調節指令信号に応じた光量調節手段の駆動を可能とする光量調節指令入力ラインを設けているので、使用者は、デマンド等の駆動指令操作装置において焦点調節操作や変倍調節操作を行いながら、簡単に光量調節操作も自身の意思により行うことができる。
【０１８７】
駆動指令操作装置には、カメラ指令入力ラインに入力された光量調節指令信号を光学装置又は駆動ユニットに出力するためのラインと、光量調節操作手段から出力された光量調節指令信号を光学装置又は駆動ユニットに出力するためのラインとを兼ねる光量調節指令出力ラインが設けられている。ここで、光学装置又は駆動ユニットにおいて、上記光量調節指令出力ラインにつながってカメラ指令入力ラインに入力された光量調節指令信号を受けるラインと光量調節操作手段から出力された光量調節指令信号を受けるラインとを兼ねる光量調節指令入力ラインを設ければ、駆動指令操作装置と光学装置又は駆動ユニットとを接続するコネクタのピン数の増加を抑えことができる。
【０１８８】
また、駆動ユニットに、カメラ装置から光量調節手段の駆動を指令するための光量調節指令信号が入力されるカメラ指令入力ラインと光量調節操作手段からの光量調節指令信号が入力される光量調節指令入力ラインとを設けるとともに、光量調節手段に対しカメラ指令入力ラインと光量調節指令入力ラインとを選択的に接続する入力指令切換回路を設ければ、光量調節操作手段を有する駆動指令操作装置の構成を簡略化することができる。
【０１８９】
この場合、入力指令切換回路として、カメラ装置側から光量調節手段の駆動を行うことを示す信号がオンのときに光量調節手段に対して前記カメラ指令入力ラインを接続し、カメラ装置側から光量調節手段の駆動を行うことを示す信号がオフのときに、駆動指令操作装置における使用者のマニュアル操作に応じて入力される信号のオン・オフに応じて光量調節手段に対してカメラ指令入力ラインを接続するか光量調節指令入力ラインを接続するかを切換えるものを用いれば、カメラ装置側から光量調節手段の駆動を行うことを示す信号のオン・オフにかかわらず駆動指令操作装置において使用者がカメラ側から光量調節手段の駆動を行わせるか駆動指令操作装置側から光量調節手段の駆動を行わせるかを選択することができる。
【０１９０】
また、駆動指令操作装置には、光量調節出力ラインを介して出力した光量調節指令信号が光量調節手段に入力されるよう光学装置又は駆動ユニット内の入力回路構成を切り換えるための信号を、光学装置又駆動ユニットに対して出力する信号出力手段が設けられている。そして、光学装置には、光量調節指令入力ラインを光量調節手段と焦点調節手段又は変倍調節手段とに選択的に接続する接続切換手段が設けられており、光量調節操作手段を有する駆動指令操作装置が接続されたときに、この駆動指令操作装置から入力される、駆動ユニット内の入力回路構成を切り換えるための信号に応じて接続切換手段を光量調節手段側に切り換え、この駆動指令操作装置からの光量調節指令信号を光量調節指令入力ラインを介して光量調節手段に入力させるようにし、光量調節操作手段を有さない駆動指令操作装置が接続されたときに、この駆動指令操作装置から駆動ユニット内の入力回路構成を切り換えるための信号が入力されないことに応じて接続切換手段を焦点調節手段又は変倍調節手段側に切り換えてこの駆動指令操作装置から光量調節指令入力ラインを介して焦点調節手段又は変倍調節手段の駆動を指令する指令信号を入力させることで、光学装置の光量調節指令入力ラインを、光量調節操作手段を有する駆動指令操作装置からの光量調節指令信号の入力ラインおよび光量調節操作手段を有さない駆動指令操作装置からの焦点調節又は変倍調節のための指令信号の入力ラインとして兼用することが可能となり、駆動指令操作装置との接続に用いるコネクタのピン数を少なくしつつ、光量調節操作手段を有する駆動指令操作装置および光量調節操作手段を有さない駆動指令操作装置を接続することができる。
【０１９１】
同様に、駆動ユニットに、光量調節指令入力ラインを光量調節手段と焦点調節手段又は変倍調節手段とに選択的に接続する接続切換手段を設け、光量調節操作手段を有する駆動指令操作装置が接続されたときに、この駆動指令操作装置から入力される、駆動ユニット内の入力回路構成を切り換えるための信号に応じて接続切換手段を光量調節手段側に切り換え、この駆動指令操作装置からの光量調節指令信号を光量調節指令入力ラインを介して光量調節手段に入力させるようにし、光量調節操作手段を有さない駆動指令操作装置が接続されたときに、この駆動指令操作装置から駆動ユニット内の入力回路構成を切り換えるための信号が入力されないことに応じて接続切換手段を焦点調節手段又は変倍調節手段側に切り換えてこの駆動指令操作装置から光量調節指令入力ラインを介して焦点調節手段又は変倍調節手段の駆動を指令する指令信号を入力させるようにすれば、光学装置又は駆動ユニットの光量調節指令入力ラインを、光量調節操作手段を有する駆動指令操作装置からの光量調節指令信号の入力ラインおよび光量調節操作手段を有さない駆動指令操作装置からの焦点調節又は変倍調節のための指令信号の入力ラインとして兼用することが可能となり、駆動指令操作装置との接続に用いるコネクタのピン数を少なくしつつ、光量調節操作手段を有する駆動指令操作装置および光量調節操作手段を有さない駆動指令操作装置を接続することができる。
【図面の簡単な説明】
【図１】本発明の第１実施形態である光学調節システムおよびカメラシステムの構成図。
【図２】本発明の第２実施形態である光学調節システムおよびカメラシステムの構成図。
【図３】本発明の第３実施形態である光学調節システムおよびカメラシステムの構成図。
【図４】本発明の第４実施形態である光学調節システムおよびカメラシステムの構成図。
【図５】テレビカメラ、テレビレンズを操作する際のイメージ図。
【符号の説明】
１００，１００’，７００，７００’…テレビレンズ
２００…テレビカメラ
３００，３００’，５００，５００’…ズームデマンド
４００，４００’，６００，６００’…フォーカスデマンド
１…フォーカスレンズ光学系
２…フォーカスモータ
３…フォーカス位置検出器
４…フォーカス制御器
５…ズームレンズ光学系
６…ズームモータ
７…ズーム位置検出器
８…ズーム制御器
９…アイリス羽根
１０…アイリスモータ
１１…アイリス位置検出器
１２…アイリス制御器
１３、１４、３２、３３…指令信号切換スイッチ
１５…テレビカメラ接続コネクタ
１６，１７…デマンド接続コネクタ
１８，１９…デマンドケーブル
２０，２１…テレビレンズ接続コネクタ
２２，２２’…アイリス認識信号出力器
２３，２３’３６，３６’…テレビカメラアイリス指令切換スイッチ
２４…サムリング
２５…ズーム指令信号発生器
２６…アイリス操作ノブ
２７…アイリス指令信号発生器
２８，２８’，３５，３５’…アイリスカメラレンズ指令切換スイッチ
２９…フォーカス認信号出力器
３０…フォーカス指令信号発生器
３１…フォーカス操作ノブ
３４…ズーム認識信号出力器
３７，３７’…アイリスローカル／カメラ選択スイッチ
【図１】
2004004873.tif 000003
【図２】
2004004873.tif 000004
【図３】
2004004873.tif 000005
【図４】
2004004873.tif 000006
【図５】
2004004873.tif 000007